(57)【要約】【課題】機器レイアウト設計において、物品の長さや面積を表示することにより、設計や見積を支援する技術および、機器設置場所において物品の位置を容易に特定できる技術を提供する。【解決手段】レイアウト作成部が、物品イメージレイアウトDBに格納された機器のレイアウト図をフロア基本レイアウトDBに格納されたフリーアクセスパネルのレイアウト図に重ね合わせ、重ね合わせたレイアウト図を表示し、長さや面積を求めるエリアを表示したレイアウト図のフリーアクセスパネルの指定を受け付け、長さ・面積算出部が機器のレイアウト図に配置された物品の長さや面積をフリーアクセスパネルのサイズを基に算出し、算出した物品の長さや面積を画面に出力する。【選択図】  図１
2017062534.tif 000002
【特許請求の範囲】
【請求項１】
物品イメージレイアウトDBに格納された機器のレイアウト図をフロア基本レイアウトDBに格納されたフリーアクセスパネルのレイアウト図に重ね合わせるレイアウト作成部と、
重ね合わせたレイアウト図を画面に表示し、長さを求める起点と終点をレイアウト図のフリーアクセスパネルの指定により受け付ける入力部と、
機器のレイアウト図に配置された物品の長さをフリーアクセスパネルのサイズを基に算出する算出部と、
算出された物品の長さを画面に出力する出力部とを備えることを特徴とするレイアウト表示システム。
【請求項２】
前記算出部は前記レイアウト作成部が作成した重ね合わせられたレイアウト図を基に1枚のフリーアクセスパネスのサイズを用いて指定された起点と終点の間にあるフリーアクセスパネルの枚数を乗じることにより物品の長さを求めることを特徴とする請求項１に記載のレイアウト表示システム。
【請求項３】
前記フリーアクセスパネルはICタグを備え、
ICタグの出力する位置情報を読み取る可搬端末と、
可搬端末が読み取った位置情報を受け取り位置情報履歴DBへ格納する位置情報取得部を備え、
前記算出部は、位置情報履歴DBへ格納された位置情報を用いて可搬端末の移動した軌跡を求め、出力部が求めた軌跡を画面へ出力することを特徴とする請求項２に記載のレイアウト表示システム。
【発明の詳細な説明】
【技術分野】
【０００１】
本発明はデータセンターにおけるフロアレイアウトの作成・表示方法および機器設置室での位置特定方法に関する。
【背景技術】
【０００２】
マシン室などの機器設置場所のレイアウト作成・表示方法では、特開２００６−１０１６３０（特許文献１）に記載の技術がある。この公報には、「レイアウト上に機器、コネクタ、ケーブルとその位置を自動表示して機器の変更に伴い自動的に再表示すると共に、検索対象の機器、コネクタ、ケーブルを強調表示してその検索を容易に行うことを目的とする」という記載がある。
【先行技術文献】
【特許文献】
【０００３】
【特許文献１】特許公開２００６−１０１６３０
【発明の概要】
【発明が解決しようとする課題】
【０００４】
特許文献１には、表示された機器レイアウト図と、マシン室などの機器設置場所での機器位置をひもづける手段がなく、機器間の距離や、機器の占める面積を求めることが困難である。そこで本発明では、機器レイアウト図上で、機器間の距離や機器の占める面積をもとめることを目的とする。
【課題を解決するための手段】
【０００５】
物品イメージレイアウトDBに格納された機器のレイアウト図をフロア基本レイアウトDBに格納されたフリーアクセスパネルのレイアウト図に重ね合わせるレイアウト作成部と、重ね合わせたレイアウト図を画面に表示し、長さを求める起点と終点をレイアウト図のフリーアクセスパネルの指定により受け付ける入力部と、機器のレイアウト図に配置された物品の長さや面積をフリーアクセスパネルのサイズを基に算出する算出部と、算出された物品の長さを画面に出力する出力部とを備えるレイアウト表示システムにより解決される。より詳細な構成は実施例により明らかにされるであろう。
【発明の効果】
【０００６】
本発明によれば、レイアウト画面で機器間の距離や機器の占有面積を容易に求めることができる。
【図面の簡単な説明】
【０００７】
【図１】実施例におけるレイアウト作成・表示システムのブロック図の例
【図２（ａ）】実施例におけるマシン室の物品レイアウト作成処理のフローチャートの例
【図２（ｂ）】実施例におけるマシン室の物品レイアウト表示処理のフローチャートの例
【図３】実施例における機器間の距離表示例
【図４（ａ）】実施例における位置特定・蓄積処理を示すフローチャートの例
【図４（ｂ）】実施例における位置履歴表示処理を示すフローチャートの例
【図５】実施例における可搬端末位置の表示例
【図６】実施例における可搬端末の移動軌跡表示例
【発明を実施するための形態】
【０００８】
以下実施例を図面を用いて説明する。
【実施例１】
【０００９】
図１は実施例におけるレイアウト作成・表示システムのブロック図の例である。
【００１０】
マシン室等に敷設されているフリーアクセスパネル１４に添付されているＩＣタグ１３から読み取った情報を検出し、可搬端末１２に表示されるレイアウト図上にその位置を表示するものであって、ここでは処理装置１、端末１１、ＩＣタグリーダ付きの可搬端末１２から構成されるものである。
【００１１】
処理装置２は、CPU、主記憶装置、外部記憶装置などで構成される計算機により実現されるサーバなどの処理装置であって、ここでは主記憶装置に格納されるレイアウト作成部３、長さ・面積算出部（算出部）４、位置情報取得部５、指示部１０がCPUにより実行され、フロア基本レイアウトＤＢ６、物品イメージレイアウトＤＢ７、位置情報履歴ＤＢ８が外部記憶装置に格納され、CPUや主記憶装置とネットワークを経由して接続される表示装置９などから構成されるものである。
【００１２】
レイアウト作成部３は、フロア基本レイアウトＤＢ６から読み込んだフロア基本レイアウトデータに、ラック、ケーブルダクト、ケージなどの物品を描画するデータを追加する機能をもち、描画した物品イメージのデータをフロア基本レイアウトデータと合成して、物品イメージレイアウトデータを作成し、物品イメージレイアウトＤＢ７に格納するものである。
【００１３】
長さ・面積算出部４は、フロア基本レイアウトＤＢ６や物品イメージレイアウトＤＢ７からフロア基本レイアウトデータや物品イメージレイアウトデータを読み込んで、端末１１上に表示し、利用者が選択した区間の長さや面積を算出して端末１１上に表示するものである。
【００１４】
位置情報取得部５は、ＩＣタグリーダ付きの可搬端末１２と通信を行い、フリーアクセスパネル１４に添付されているＩＣタグ１３から位置情報を読み取って、フロア基本レイアウトＤＢ６や物品イメージレイアウトＤＢ７から読み込んだフロア基本レイアウトデータや物品イメージレイアウトデータに、フリーアクセスパネル１４の位置情報を追加して表示するものである。
【００１５】
フロア基本レイアウトＤＢ６は、あらかじめ部屋のレイアウトとフリーアクセスパネルのレイアウトを登録したものである。各フリーアクセスパネルの識別ＩＤを保持するものである。
【００１６】
物品イメージレイアウトＤＢ７は、利用者が作成した物品イメージレイアウトデータを保持するものである。
【００１７】
位置情報履歴ＤＢ８は、位置情報取得部５が取得した位置情報を、取得日時および個人ＩＤＤＢ  １５に格納されている個人識別ＩＤとともに保持するものである。
【００１８】
表示装置９は、フロア基本レイアウトＤＢ６や物品イメージレイアウトＤＢ７から読み込んだフロア基本レイアウトデータや物品イメージレイアウトデータを用いて作成されたレイアウト図を表示するものである。
【００１９】
指示部１０は、各種指示（例えばレイアウトＩＤを指定した検索指示など）を入力するものである。
【００２０】
端末１１は、利用者がレイアウトを作成したり表示したりするものである。
【００２１】
可搬端末１２は、利用者がマシン室内等で、レイアウトを表示したり、位置情報を表示したりするものである。
【００２２】
ＩＣタグ１３は、ＩＣタグリーダからの読み出し信号（読み出し電波）を受信したときに情報を発信する公知のものである。
フリーアクセスパネル１４は、マシン室の床面に敷設するものであって、４５ｃｍ四方や５０ｃｍ四方などの正方形のパネルである。
【００２３】
フロア基本レイアウト１５は、マシン室のフリーアクセスパネルのレイアウトであって、ＩＣタグ１３を図示のように貼付するものである。
【００２４】
図２（a）のレイアウト表示・作成フローチャートに基づく動作は下記のとおりである。
【００２５】
ステップ１０１：利用者は端末１１で、図３に示す本発明の画面において、フロア名もしくはレイアウトＩＤを入力し、検索ボタン３０を押下する。
【００２６】
ステップ１０２：指示部１０は入力された値がフロア名であればフロア基本レイアウトＤＢ６を、レイアウトＩＤであれば物品イメージレイアウトＤＢ７を検索し、一致するレイアウト図３３を表示する。
【００２７】
ステップ１０３：利用者は表示されたレイアウト図を確認し、レイアウト作成ボタン３１を押下する。
【００２８】
ステップ１０４：レイアウト作成部はレイアウト編集画面を表示し、利用者がラックやケージ、ケーブルダクトなどの物品イメージを自由に描画する。描画が完了すれば、レイアウトＩＤを入力して保存ボタン３２を押下する。
【００２９】
ステップ１０５：レイアウト作成部はもとのレイアウト図と描画された物品イメージを合成し、物品イメージレイアウトとして物品イメージレイアウトＤＢ７に格納する。
【００３０】
図２（ｂ）の長さ・面積表示フローチャートに基づく動作は下記のとおりである。
【００３１】
ステップ１０１：前述のとおり。
【００３２】
ステップ１０２：前述のとおり。
【００３３】
ステップ１０６：利用者は表示されたレイアウト図を確認し、長さ・面積表示ボタン３４を押下する。
【００３４】
ステップ１０７：長さ・面積算出部は、フリーアクセスパネル選択画面を表示し、図３の３５で示した斜線部分で示した利用者が長さ・面積を表示したいフリーアクセスパネルを選択する。このとき、長さを求める場合には始点、終点となるフリーアクセスパネルを指定しても良い。
【００３５】
ステップ１０８：長さ・面積算出部は、選択されたフリーアクセスパネルの枚数をカウントし、あらかじめ登録されているフリーアクセスパネルの１辺の長さおよび１枚あたりの面積の値に、枚数を積算して、選択された枚数分の長さおよび面積を表示する。長さの場合には始点と終点間にあるフリーアクセスパネルの枚数にフリーアクセスパネルの1辺の長さを乗じれば良い。
【００３６】
このように、本発明では、利用者がマシン室の物品レイアウトを作成し、その物品の長さや面積を容易に確認することができ、物品の見積作成や手配に役立てることができる。
・マシン室に敷設しているフリーアクセスパネルのレイアウト図を作成する。
・フリーアクセスパネルに識別番号をふる。
・マシン室のフリーアクセスパネルに識別番号を記録したＩＣタグを添付する。
・レイアウト表示システムを用いてラック、ケーブルダクト、ケージなどのレイアウトを作成する。
・ラックやケーブルダクトの施工時には、携帯端末にレイアウトを表示し、ＩＣタグ読取機がフリーアクセスパネルのＩＣタグを読み取って、携帯端末のレイアウト画面上に現在地を表示する。工事担当者は施工すべき場所を特定して工事を実施する。
【実施例２】
【００３７】
図４は、本発明をマシン室での位置特定に適用した場合のフローチャートである。
【００３８】
図４（a）の位置特定・蓄積フローは、利用者がマシン室に図２のＩＣカードリーダ付き可搬端末１２を持ち込み、位置を特定することを想定している。フローチャートに基づく動作は下記のとおりである。
【００３９】
図１、図４、図５を参照し、実施例１から変更があるステップのみ、以下に示す。
【００４０】
ステップ１０９：利用者が可搬端末１２で、図５に示す可搬端末位置表示例において、現在地ボタン５０を押下する。
【００４１】
ステップ１１０：位置情報取得部５が可搬端末１２のＩＣタグリーダを制御し、数秒間隔などの一定間隔ごとに一番近いフリーアクセスパネルのＩＣタグを読み取り、レイアウト画面上に当該フリーアクセスパネルの位置を、図５の表示例のように斜線４１や色をつけるなどして表示する。
【００４２】
また位置情報取得部５は、取得したＩＣタグ情報を、取得した日時および個人ＩＤとともに位置情報履歴ＤＢ８に蓄積する。
【００４３】
ステップ１１１：利用者が目的地と現在地の位置関係を確認し、目的地に移動する。
【００４４】
このように利用者は、マシン室で現在地を表示することにより目的地に容易に到達でき、物品施工時や、保守・点検作業時などの位置特定に役立てることができる
【実施例３】
【００４５】
図４（ｂ）の位置履歴表示フローは、本発明をマシン室での位置履歴表示に適用した場合のフローチャートである。利用者が日常的な保守・点検作業時に、マシン室に図１のＩＣカードリーダ付き可搬端末１２を持ち込み、実施例２のように位置情報が蓄積されていることを想定している。フローチャートに基づく動作は下記のとおりである。
図１、図４、図６を参照し、実施例１から変更があるステップのみ、以下に示す。
【００４６】
ステップ１１２：利用者が端末１１で、図６に示す本発明の表示例のような画面において、履歴を表示したい日時、個人ＩＤの両方もしくは片方を入力し、履歴表示ボタン５０を押下する。
【００４７】
ステップ１１３：指示部１０は、ステップ１１２で入力された値をもとに位置情報履歴ＤＢ８を検索し、一致するフリーアクセスパネルの位置を、図６の表示例のように斜線５１や色をつけるなどして表示する。
【００４８】
このように利用者はマシン室での位置履歴を容易に参照することができ、マシン室で器物損壊や情報漏えいなどが発生した際、原因究明の一手段とすることができる。
【符号の説明】
【００４９】
１…レイアウト作成・表示システム、２…処理装置、３…レイアウト作成部、４…長さ・面積算出部、５…位置情報取得部、６…フロア基本レイアウトDB、７…物品イメージレイアウトDB、８…位置情報履歴ＤＢ、９…表示装置、１２…可搬端末（ＩＣタグリーダ）、１３…ＩＣタグ、１４…フリーアクセスパネル
【図１】
2017062534.tif 000003
【図２（ａ）】
2017062534.tif 000004
【図２（ｂ）】
2017062534.tif 000005
【図３】
2017062534.tif 000006
【図４（ａ）】
2017062534.tif 000007
【図４（ｂ）】
2017062534.tif 000008
【図５】
2017062534.tif 000009
【図６】
2017062534.tif 000010